(57)【要約】    【課題】  障害が発生した、非表示中のグループ内のネットワークデバイスをユーザに通知できるネットワークデバイス管理装置を提供する。    【解決手段】  ユーザによって指示されたグループ名切り替えリストボックス５０１内のグループを選択する（Ｓ１）。グループ外デバイスの情報を表示するか否かを判別する（Ｓ２）。ラジオボタン７０１がオンであって、グループ外デバイスを表示すると判別された場合、ラジオボタン７０２からグループ外デバイスの表示条件を取得する（Ｓ３）。グループ外デバイスの情報のうち、表示条件を判定するために必要な情報のみを取得する（Ｓ５）。表示条件を満足するグループ外デバイスが存在するか否かを判別する（Ｓ７）。表示すべきグループ外デバイスが存在すると判別された場合、選択されたグループの他、そのグループ外デバイスを表示する（Ｓ８）。【選択図】      図６
2005071159.tif 000002
【特許請求の範囲】
【請求項１】
複数のデバイスを複数のグループに分けて管理するデバイス管理装置において、
複数のグループのうち選択された特定のグループに属するデバイスの情報を表示するグループ内表示手段と、
前記特定のグループに属しないデバイスの情報を表示するための表示条件を設定する表示条件設定手段と、
前記特定のグループに属しないデバイスの状態を取得する状態取得手段と、
前記状態取得手段により取得したデバイスの状態に基づいて前記表示条件を満足するか否かを判定する判定手段と、
前記表示条件を満足すると判定された場合、前記特定のグループに属しないデバイスの情報を表示するグループ外表示手段とを備えたことを特徴とするデバイス管理装置。
【請求項２】
前記グループ外表示手段による、前記特定のグループに属しないデバイスの情報を表示する機能を有効にするか無効にするかを設定する表示機能設定手段を備えたことを特徴とする請求項１記載のデバイス管理装置。
【請求項３】
前記状態取得手段は、前記設定された表示条件を解析し、前記判定手段による判定に必要な情報を抽出する抽出手段を備え、該抽出された情報を基に前記デバイスの状態を取得することを特徴とする請求項１記載のデバイス管理装置。
【請求項４】
複数のデバイスを複数のグループに分けて管理するデバイス管理方法において、
複数のグループのうち選択された特定のグループに属するデバイスの情報を表示するグループ内表示ステップと、
前記特定のグループに属しないデバイスの情報を表示するための表示条件を設定する表示条件設定ステップと、
前記特定のグループに属しないデバイスの状態を取得する状態取得ステップと、
前記状態取得ステップで取得したデバイスの状態に基づいて前記表示条件を満足するか否かを判定する判定ステップと、
前記表示条件を満足すると判定された場合、前記特定のグループに属しないデバイスの情報を表示するグループ外表示ステップとを有することを特徴とするデバイス管理方法。
【請求項５】
コンピュータによって実行され、複数のデバイスを複数のグループに分けて管理するためのプログラムであって、
複数のグループのうち選択された特定のグループに属するデバイスの情報を表示するグループ内表示ステップと、
前記特定のグループに属しないデバイスの情報を表示するための表示条件を設定する表示条件設定ステップと、
前記特定のグループに属しないデバイスの状態を取得する状態取得ステップと、
前記状態取得ステップで取得したデバイスの状態が前記表示条件を満足するか否かを判定する判定ステップと、
前記表示条件を満足すると判定された場合、前記特定のグループに属しないデバイスの情報を表示するグループ外表示ステップとを含むことを特徴とするプログラム。
【請求項６】
請求項５に記載のプログラムが記憶された記憶媒体。
【発明の詳細な説明】
【技術分野】
【０００１】
本発明は、複数の電子装置を複数のグループに分けて管理するデバイス管理装置、デバイス管理方法、プログラムおよび記憶媒体に関する。
【背景技術】
【０００２】
現在、ＬＡＮ（Ｌｏｃａｌ  Ａｒｅａ  Ｎｅｔｗｏｒｋ）を始めとする、ネットワークを管理するためのプロトコルである、ＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルは、ＴＣＰ／ＩＰプロトコルをベースとするネットワークに限らず、ＴＣＰ／ＩＰ以外のプロトコルをベースとするネットワークのネットワーク管理プロトコルとしても幅広く使用されている。
【０００３】
通常、ＳＮＭＰプロトコルを用いたネットワーク管理では、ネットワークデバイスを管理するＰＣ（マネージャ）から、管理対象のネットワークデバイス（エージェント）が持つＭＩＢ（Ｍａｎａｇｅｍｅｎｔ  Ｉｎｆｏｒｍａｔｉｏｎ  Ｂａｓｅ）に、ＳＮＭＰプロトコルを使用してアクセスすることが行われる。ここで、ＭＩＢのデータ構造は、木（ツリー）構造をしており、全てのノードに対し、オブジェクトＩＤという一意に識別可能な識別子が割り付けられている。このＭＩＢのデータ構造は、ＳＭＩ（Ｓｔｒｕｃｔｕｒｅ  ｆｏｒ  Ｍａｎａｇｅｍｅｎｔ  Ｉｎｆｏｒｍａｔｉｏｎ）と呼ばれ、ＲＦＣ１１５５「Ｓｔｒｕｃｔｕｒｅ  ａｎｄ  Ｉｄｅｎｔｉｆｉｃａｔｉｏｎ  ｏｆ  Ｍａｎａｇｅｍｅｎｔ  Ｉｎｆｏｒｍａｔｉｏｎ  ｆｏｒ  ＴＣＰ／ＩＰ−ｂａｓｅｄ  Ｉｎｔｅｒｎｅｔｓ」で規定されている。
【０００４】
一方、ネットワーク上の各種の資源（プリンタ、サーバ、スキャナなど）を効率的に発見して利用する方法として、ディレクトリサービスと呼ばれるものが提供されている。このディレクトリサービスは、ネットワークに関する電話帳のようなものであり、様々な情報を格納する。
【０００５】
ディレクトリシステムの具体例として、例えばＲＦＣ１７７７に規定されているＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）が知られている。また、ディレクトリサービスを利用できない環境の場合、ＳＮＭＰブロードキャストを利用してネットワークデバイスを探索することも可能である。
【０００６】
従来のデバイス管理装置（ネットワークデバイス管理装置）では、ＳＮＭＰ／ＭＩＢやディレクトリサービスを用いて、例えばネットワークに接続されているネットワークデバイスの一覧を表示したり、ネットワークデバイスの状態やネットワークデバイスに設定されている各種情報を表示したり、変更することが可能である（例えば、特許文献１）。
【特許文献１】特開平１０−３０３９３１号公報
【発明の開示】
【発明が解決しようとする課題】
【０００７】
このようなネットワークデバイス管理装置の一機能として、複数のネットワークデバイスをグループ化し、そのグループ単位でネットワークデバイスを管理する機能が考えられる。この機能を用いると、ネットワークデバイス管理装置のユーザは、自身が利用可能なネットワークデバイスを集めてグループ化したり、実世界における設置場所に応じてグループを作成することが可能である。グループの例として、「ネットワーク上で探索されたすべてのネットワークデバイス」、「カラー印刷可能なネットワークデバイス」、「２Ｆに設置されているネットワークデバイス」等を挙げることができる。
【０００８】
尚、「ネットワーク上で探索されたすべてのネットワークデバイス」グループは、通常、デフォルトのグループとして、ネットワークデバイス管理装置に必ず存在するグループである。
【０００９】
そして、ネットワークデバイス管理装置のユーザは、グループを指定することにより、管理したいネットワークデバイスの一覧をネットワーク管理装置の画面に表示させることができる。このような機能は、ネットワークに接続された、多種多様なネットワークデバイスのうち、自身が管理するネットワークデバイスをいくつかの条件の下で抽出して管理する場合に特に有効である。
【００１０】
しかしながら、ネットワークシステムのユーザが多数のグループを管理している場合、非表示中のグループ内で管理されているネットワークデバイスに重大な障害が発生した場合であっても、ユーザが自らそのグループを選択し直してネットワークデバイス管理装置の画面に表示させない限り、ユーザは、そのネットワークデバイスに重大な障害が発生していることを認知することができない。
【００１１】
そこで、本発明は、例えば、多数のグループを管理する際、非表示中のグループ内で管理されているネットワークデバイスに重大な障害が発生した場合、現在表示中のグループ内のネットワークデバイスの管理を中断することなく、障害が発生したネットワークデバイスをユーザに通知することができるデバイス管理装置、デバイス管理方法、プログラムおよび記憶媒体を提供することを目的とする。
【課題を解決するための手段】
【００１２】
上記目的を達成するために、本発明のデバイス管理装置は、複数のデバイスを複数のグループに分けて管理するデバイス管理装置において、複数のグループのうち選択された特定のグループに属するデバイスの情報を表示するグループ内表示手段と、前記特定のグループに属しないデバイスの情報を表示するための表示条件を設定する表示条件設定手段と、前記特定のグループに属しないデバイスの状態を取得する状態取得手段と、前記状態取得手段により取得したデバイスの状態に基づいて前記表示条件を満足するか否かを判定する判定手段と、前記表示条件を満足すると判定された場合、前記特定のグループに属しないデバイスの情報を表示するグループ外表示手段とを備えたことを特徴とする。
【００１３】
本発明のデバイス管理方法は、複数のデバイスを複数のグループに分けて管理するデバイス管理方法において、複数のグループのうち選択された特定のグループに属するデバイスの情報を表示するグループ内表示ステップと、前記特定のグループに属しないデバイスの情報を表示するための表示条件を設定する表示条件設定ステップと、前記特定のグループに属しないデバイスの状態を取得する状態取得ステップと、前記状態取得ステップで取得したデバイスの状態に基づいて前記表示条件を満足するか否かを判定する判定ステップと、前記表示条件を満足すると判定された場合、前記特定のグループに属しないデバイスの情報を表示するグループ外表示ステップとを有することを特徴とする。
【００１４】
本発明のプログラムは、コンピュータによって実行され、複数のデバイスを複数のグループに分けて管理するためのプログラムであって、複数のグループのうち選択された特定のグループに属するデバイスの情報を表示するグループ内表示ステップと、前記特定のグループに属しないデバイスの情報を表示するための表示条件を設定する表示条件設定ステップと、前記特定のグループに属しないデバイスの状態を取得する状態取得ステップと、前記状態取得ステップで取得したデバイスの状態が前記表示条件を満足するか否かを判定する判定ステップと、前記表示条件を満足すると判定された場合、前記特定のグループに属しないデバイスの情報を表示するグループ外表示ステップとを含むことを特徴とする。
【発明の効果】
【００１５】
本発明によれば、多数のグループを管理する際、現在表示中のグループ内のデバイスの管理を中断することなく、他のグループのデバイスに関する情報をユーザに通知することができる。例えば、多数のグループを管理する際、非表示中のグループ内で管理されているデバイスにおいて重大な障害が発生した場合、現在表示中のグループ内のデバイスの管理を中断することなく、障害が発生したデバイスをユーザに通知することができる。
【発明を実施するための最良の形態】
【００１６】
本発明のデバイス管理装置、デバイス管理方法、プログラムおよび記憶媒体の実施の形態について図面を参照しながら説明する。本実施形態のデバイス管理装置は、ネットワークに接続された各種デバイスを管理するネットワークデバイス管理装置に適用される。図１は実施の形態におけるネットワークデバイス管理装置が動作可能なネットワークシステムの構成を示す図である。本実施形態のネットワークシステムは、管理対象のネットワークデバイス、ネットワーク管理用のサーバＰＣ、ネットワーク管理用のクライアントＰＣがＬＡＮ１００を介して接続された構成を有する。
【００１７】
図において、１０１ａ〜１０１ｃはカラープリンタである。１０２ａ〜１０２ｅはモノクロプリンタである。１０３ａ、１０３ｂは複合機である。この複合機１０３ａ、１０３ｂは、コピー機能、ファクス機能およびプリンタ機能を有するネットワークデバイスである。１０４はスキャナであり、装着されたネットワークインタフェースカードにより、ＬＡＮ１００に接続されている。これらのネットワークデバイスは、後述するネットワークデバイス管理装置によって管理可能であり、ディレクトリサービスなどの方法で探索され、ＳＮＭＰ／ＭＩＢにより情報の取得・設定が可能なものである。
【００１８】
また、１０５ａ〜１０５ｅは、ネットワーク接続可能なＰＣ（Ｐｅｒｓｏｎａｌ  Ｃｏｍｐｕｔｅｒ）である。これらのＰＣ１０５ａ〜１０５ｅは、ネットワークデバイス管理ソフトウェアが稼動可能なＰＣであり、ネットワークデバイス管理装置として機能する。ここで、ＰＣ１０５ａ〜１０５ｅは同一の性能を有するので、以後、これらを総称してＰＣ１０５とする。
【００１９】
図２はネットワークデバイス管理ソフトウェアが稼動可能なＰＣの構成を示すブロック図である。ＰＣ１０５は、ＣＰＵ２０１、ＲＯＭ２０２、ＲＡＭ２０３、ＫＢＣ（キーボードコントローラ）２０５、ＣＲＴＣ（ＣＲＴコントローラ）２０６、ＤＫＣ（ディスクコントローラ）２０７およびＮＩＣ（ネットワークインタフェースカード）２０８がシステムバス２０４を介して接続された構成を有する。
【００２０】
ＣＰＵ２０１は、ＲＯＭ２０２、ＨＤ（ハードディスク）２１１、ＦＤ（フロッピー（登録商標）ディスクドライブ）２１２、ＣＤ(ＣＤ−ＲＯＭドライブ) ２１３、ＤＶＤ (ＤＶＤ−ＲＯＭドライブ) ２１４から供給されるネットワーク管理ソフトウェアを実行し、システムバス２０４に接続された各デバイスを総括的に制御する。
【００２１】
ＲＡＭ２０２は、ＣＰＵ２０１のメインメモリ、ワークエリア等として機能する。ＫＢＣ（キーボードコントローラ）２０５は、ＫＢ（キーボード）２０９、ポインティングデバイス（図示せず）等からの指示入力を制御する。ＣＲＴＣ（ＣＲＴコントローラ）２０６は、ＣＲＴ（ＣＲＴディスプレイ）２１０の表示を制御する。ＤＫＣ（ディスクコントローラ）２０７は、ＨＤ２１１、ＦＤ２１２、ＣＤ２１３およびＤＶＤ２１４に対するアクセスを制御する。本実施形態では、ＨＤ２１１に、ブートプログラム、種々のアプリケーション、編集ファイル、ユーザファイル、ネットワーク管理ソフトウェア等が記憶されている。
【００２２】
ＮＩＣ（ネットワークインタフェースカード）２０８は、ＬＡＮ１００を介して、他のネットワークデバイスと双方向にデータをやりとりする。尚、本実施形態では、特に断らない限り、ＣＰＵ２０１がＨＤ（ハードディスク）２１１にインストールされたネットワークデバイス管理ソフトウェアを実行することにより、ネットワークデバイスを管理するネットワーク管理装置として機能する。
【００２３】
図３はネットワークシステムにおけるＰＣ１０５ａ〜１０５ｅのいずれかに実現されたネットワークデバイス管理装置により探索されたデバイス一覧を示すテーブルである。このテーブルでは、ＬＡＮ１００に接続されているカラープリンタ１０１ａ〜１０１ｃ、モノクロプリンタ１０２ａ〜１０２ｅ、複合機１０３ａ、１０３ｂおよびスキャナ１０４が検索されている。各ネットワークデバイスを識別するための情報として、デバイス名３０１、製品名３０２、ネットワークアドレス３０３およびネットワークデバイスの状態３０４が取得されている。これらの識別情報は、例えばネットワークデバイスが持つＭＩＢから、ＳＮＭＰプロトコルのＧｅｔ−ｒｅｑｕｅｓｔを使って取得される。
【００２４】
図４はグループ化されたデバイスの一覧を示すテーブルである。図において、グループ４０１には、カラープリンタ１０１ａ〜１０１ｃおよびモノクロプリンタ１０２ａ〜１０２ｅが含まれている。また、グループ４０２には、複合機１０３ａ、１０３ｂおよびスキャナ１０４が含まれている。
【００２５】
図５はグループ４０１およびグループ４０２の２つのグループのうち、ユーザがグループ４０２を選択した場合に表示されるネットワークデバイス管理装置のウィンドウ画面を示す図である。このウィンドウ画面は、ＰＣ１０５のＣＲＴ２１０の画面上に表示される。図において、５００はユーザに提示されるデバイス一覧表示ウィンドウである。５０１は、２つ以上のグループのうちの１つを選択し、ネットワークデバイスグループ一覧表示領域５０２に表示されるグループ名を切り替えるグループ名切り替えリストボックスである。５０２は、ユーザがグループ名切り替えリストボックス５０１で選択したグループに含まれるネットワークデバイスの一覧を表示するネットワークデバイスグループ一覧表示領域である。尚、図５では、図４のグループ４０２に含まれるネットワークデバイスの情報が表示されている。
【００２６】
ここでは、ネットワークデバイスグループ一覧表示領域５０２にグループ４０２に含まれるネットワークデバイスが表示されている状態で、グループ４０１に含まれるネットワークデバイスにおいて重大な障害が発生した場合、ユーザが瞬時にそれを認知できる方法を示す。
【００２７】
図６は現在表示中のデバイスグループにおいて非表示のネットワークデバイスに障害が発生したことをユーザに通知する際の動作処理手順を示すフローチャートである。この処理プログラムは、前述したように、ＰＣ１０５内のハードディスク（ＨＤ）２１１に格納されており、ＣＰＵ２０１によって実行される。
【００２８】
ＰＣ１０５が起動すると、まず、ネットワークデバイス管理装置の画面上に表示される、ユーザによって指示されたグループ名切り替えリストボックス５０１内のグループを選択する（ステップＳ１）。そして、ステップＳ１で選択されたグループに含まれないネットワークデバイス（ここでは、グループ外デバイスと称する）の情報を表示するか否かを判別する（ステップＳ２）。
【００２９】
図７はグループ外デバイスの情報を指示するウィンドウ画面を示す図である。ユーザは、グループ外デバイスの情報を表示するウィンドウ画面を操作し、通常、グループ外デバイスをどのように扱うかをネットワークデバイス管理装置に対して指示する。図において、７００はグループ外デバイスの扱いを指示するための表示ウィンドウである。７０１はグループ外デバイスをどのように扱うかをユーザが指示するためのラジオボタンである。７０２は、ラジオボタン７０１がＯＮである場合、グループ外デバイスを表示させる際の表示条件をユーザが指示するためのラジオボタンである。ここでは、ラジオボタン７０２によって指示される表示条件として、「障害発生時」、「電源切断時」および「電源投入時」が示されている。尚、これらの表示条件に限定されないことは勿論である。
【００３０】
ステップＳ２でラジオボタン７０１がオフであって、グループ外デバイスを表示しないと判別された場合、そのまま本処理を終了する。一方、ステップＳ２でラジオボタン７０１がオンであって、グループ外デバイスを表示すると判別された場合、ラジオボタン７０２からグループ外デバイスの表示条件を取得する（ステップＳ３）。
【００３１】
そして、ステップＳ１で選択されたグループに含まれるネットワークデバイスの情報を取得する（ステップＳ４）。このネットワークデバイスの情報取得には、前述したように、ＳＮＭＰ、ディレクトリサービスなどを利用することができるが、これらに限定されないことは勿論である。
【００３２】
グループ外デバイスの情報のうち、ステップＳ３で取得した表示条件を判定するために必要な情報のみを取得する（ステップＳ５）。例えば、ユーザがラジオボタン７０２の「障害発生時」をＯＮに設定した場合、ネットワークデバイス管理装置１０５は、ＳＮＭＰなどを用いて、障害の有無を示すＭＩＢオブジェクトの情報をグループ外デバイスから読み出して取得する。さらに、ステップＳ４で取得した情報を表示する（ステップＳ６）。ステップＳ５で取得した結果、表示すべき、つまり表示条件を満足するグループ外デバイスが存在するか否かを判別する（ステップＳ７）。表示すべきグループ外デバイスが存在しないと判別された場合、そのまま本処理を終了する。
【００３３】
一方、ステップＳ７で表示すべきグループ外デバイスが存在すると判別された場合、そのグループ外デバイスを表示する（ステップＳ８）。この後、本処理を終了する。
【００３４】
図８はステップＳ８でグループ外デバイスが表示されたデバイス一覧のウィンドウ画面を示す図である。図において、前述したように、５００はユーザに提示されるデバイス一覧表示ウィンドウである。５０１はグループ名切り替えリストボックスである。また、５０２はネットワークデバイスグループ一覧表示領域である。５０３は、ステップＳ７、Ｓ８の処理の結果、表示されるグループ外デバイス一覧表示領域である。
【００３５】
このように、本実施形態のネットワーク管理装置によれば、ユーザは、グループ外デバイス一覧表示領域５０３に表示されるネットワークデバイスを確認することによって、現在管理中のグループ４０２に含まれていないネットワークデバイスに発生した障害を瞬時に認知することができる。したがって、多数のグループを管理する際、非表示中のグループ内で管理されているネットワークデバイスに重大な障害が発生した場合、現在表示中のグループ内のネットワークデバイスの管理を中断することなく、障害が発生したネットワークデバイスをユーザに通知することができる。
【００３６】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００３７】
例えば、上記実施形態では、グループ４０１、４０２の２つのグループに、ネットワークデバイスを分けた場合を示したが、３つ以上のグループに分けてもよいことは勿論である。この場合、特定の１つのグループに属するネットワークデバイスを管理する際、それ以外のグループを任意の組合せで指定して表示すべきグループとしてもよい。例えば、グループＡ、Ｂ、Ｃ、Ｄの４つのグループが存在し、グループＡを管理している場合、それ以外のグループである、Ｂ、Ｃ、Ｄを表示すべきグループとしてもよい。また、表示を必要としない、無視するグループを新設し、Ｂ、Ｃを表示すべきグループとし、Ｄを無視するグループとすることも可能である。いずれにせよ、このようなグループの組合せは、ユーザが任意の数のグループに対し、任意に指定可能である。
【００３８】
また、上記実施形態では、ネットワークデバイス管理プログラムは、予めハードディスク２１１に格納されていたが、外部からインストールされた後、ＰＣ１０５によって実行されるようにしてもよい。具体的に、そのプログラムは、ＣＤ−ＲＯＭ、フラッシュメモリ、フロッピー（登録商標）ディスクなどの記憶媒体から供給されたり、あるいは電子メールやパソコン通信などのネットワークを介して外部の記憶媒体からＰＣ１０５のＲＡＭ２０３上にロードされることにより供給されてもよく、どのような方法で供給されても、本発明は適用可能である。
【００３９】
図９は記憶媒体の一例であるＣＤ−ＲＯＭのメモリマップを示す図である。図において、９０１はインストールプログラムが記憶されている領域である。９０２はネットワークデバイス管理プログラムが記憶されている領域である。ネットワークデバイス管理プログラムがＰＣ１０５にインストールされる際、まず、領域９０１に記憶されているインストールプログラムがＲＡＭ２０３にロードされ、ＣＰＵ２０１によって実行される。この後、このインストールプログラムを実行するＣＰＵ２０１によって、領域９０２からネットワークデバイス管理プログラムが読み出され、ハードディスク２１１に格納される。
【００４０】
このように、本発明は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００４１】
この場合、記憶媒体から読み出されたプログラムコード自体が前述した実施の形態の機能を実現することになり、そのプログラムコードを記憶した記憶媒体は本発明を構成することになる。
【００４２】
又、プログラムコードを供給するための記憶媒体としては、その他に、ＲＯＭ、ＰＣＭＣＩＡカードやコンパクトフラッシュ（登録商標）等のメモリカード、マイクロＤＡＴ、ＤＶＤ等の相変化型光ディスク等が挙げられる。
【００４３】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００４４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００４５】
また、本発明は、前述したように、上記実施形態の機能を実現するソフトウェアのプログラムコードを記録した記憶媒体から、そのプログラムをパソコン通信など通信ラインを介して要求者にそのプログラムを配信する場合にも適用できる。
【図面の簡単な説明】
【００４６】
【図１】実施の形態におけるネットワークデバイス管理装置が動作可能なネットワークシステムの構成を示す図である。
【図２】ネットワークデバイス管理ソフトウェアが稼動可能なＰＣの構成を示すブロック図である。
【図３】ネットワークシステムにおけるＰＣ１０５ａ〜１０５ｅのいずれかに実現されたネットワークデバイス管理装置により探索されたデバイス一覧を示すテーブルである。
【図４】グループ化されたデバイスの一覧を示すテーブルである。
【図５】グループ４０１およびグループ４０２の２つのグループのうち、ユーザがグループ４０２を選択した場合に表示されるネットワークデバイス管理装置のウィンドウ画面を示す図である。
【図６】現在表示中のデバイスグループにおいて非表示のネットワークデバイスに障害が発生したことをユーザに通知する際の動作処理手順を示すフローチャートである。
【図７】グループ外デバイスの情報を指示するウィンドウ画面を示す図である。
【図８】ステップＳ８でグループ外デバイスが表示されたデバイス一覧のウィンドウ画面を示す図である。
【図９】記憶媒体の一例であるＣＤ−ＲＯＭのメモリマップを示す図である。
【符号の説明】
【００４７】
１００：  ＬＡＮ
１０１ａ〜１０１ｃ：  カラープリンタ
１０２ａ〜１０２ｅ：  モノクロプリンタ
１０３ａ〜１０３ｃ：  複合機
１０４：  スキャナ
１０５、１０５ａ〜１０５ｅ：  ＰＣ
２０１：  ＣＰＵ
２１１：  ハードディスク（ＨＤ）
５０１：  グループ名切り替えリストボックス
７０１、７０２：  ラジオボタン
【図１】
2005071159.tif 000003
【図２】
2005071159.tif 000004
【図３】
2005071159.tif 000005
【図４】
2005071159.tif 000006
【図５】
2005071159.tif 000007
【図６】
2005071159.tif 000008
【図７】
2005071159.tif 000009
【図８】
2005071159.tif 000010
【図９】
2005071159.tif 000011